(57)【要約】【課題】  複数の特許文献間における相関関係を視覚的に容易に把握することができるように表示する特許文献多次元相関分析装置を提供する。【解決手段】  特許文献多次元相関分析装置２は、データの処理を制御するデータ制御部１０を備え、データ制御部１０には、例えば、特許文献のデータ等を入力する入力部１２及び特許文献のデータと特許文献の内容を示す特許文献ベクトルとを含む特許文献情報を記憶する特許文献情報記憶部１４が接続されている。また、データ制御部１０には、任意に設定された軸特許文献を縦軸及び横軸とし、軸特許文献の特許文献ベクトルと、軸特許文献以外の特許文献の特許文献ベクトルとの内積値を座標として、軸特許文献と軸特許文献以外の特許文献との相関関係を示した特許文献相関表のデータ等を記憶するデータ記憶部１６が接続されている。更に、データ制御部１０には、軸特許文献と軸特許文献以外の特許文献との相関関係を識別可能に表示する表示部１８が接続されている。【選択図】  図１
2005234777.tif 000002
【特許請求の範囲】
【請求項１】
特許文献毎に該特許文献の意味内容を示す特許文献ベクトルを含む特許文献情報を記憶する特許文献情報記憶手段と、
軸文献を設定するための軸文献設定条件を入力する軸文献設定条件入力手段と、
前記軸文献設定条件入力手段により入力された軸文献設定条件に基づいて、前記特許文献情報記憶手段に記憶されている特許文献情報の中から複数の軸特許文献を設定する軸特許文献設定手段と、
前記軸特許文献設定手段により設定された軸特許文献の各々の特許文献ベクトルと、前記特許文献情報記憶手段に記憶されている前記軸特許文献以外の特許文献の各々の特許文献ベクトルとの内積値を算出する内積値算出手段と、
前記軸特許文献を軸とした所定領域内において、前記内積値算出手段により算出された内積値に基づいて前記特許文献を所定位置に示すことにより、前記軸特許文献と前記特許文献との相関関係を示す特許文献相関表を表示する表示手段と
を備えることを特徴とする特許文献多次元相関分析装置。
【請求項２】
前記特許文献情報記憶手段に記憶されている特許文献情報に基づいて、前記特許文献の中から任意の特許文献を検索する特許文献検索手段を備え、
前記軸特許文献設定手段は、前記特許文献検索手段により検索された特許文献の中から軸特許文献を設定し、
前記内積値算出手段は、前記軸特許文献設定手段により設定された軸特許文献の各々の特許文献ベクトルと、前記特許文献検索手段により検索された軸特許文献以外の特許文献の特許文献ベクトルとの内積値を算出することを特徴とする請求項１記載の特許文献多次元相関分析装置。
【請求項３】
前記軸特許文献設定手段は、
軸特許文献を設定する際の軸特許文献設定条件を作成する軸特許文献設定条件作成手段を備え、
一の軸特許文献が設定された場合に、前記軸特許文献設定条件作成手段により作成された軸特許文献設定条件に基づいて、他の軸特許文献を設定することを特徴とする請求項１又は請求項２記載の特許文献多次元相関分析装置。
【請求項４】
前記軸特許文献設定手段は、
前記特許文献情報記憶手段に記憶されている特許文献情報に基づいて、複数の特許文献が一の軸に用いられる軸特許文献として設定された場合に、
前記設定された複数の特許文献の各々の特許文献ベクトルの平均を示す平均ベクトルを算出する平均ベクトル算出手段を備え、
前記内積値算出手段は、
前記平均ベクトル算出手段により算出された前記平均ベクトルと、前記特許文献情報記憶手段に記憶されている特許文献の各々の特許文献ベクトルとの内積値を算出することを特徴とする請求項１〜請求項３の何れか一項に記載の特許文献多次元相関分析装置。
【請求項５】
前記軸特許文献を任意に入れ替える軸特許文献入替手段を備え、
前記表示手段は、
前記軸特許文献入替手段により入れ替えられた軸特許文献を用いて特許文献相関表を表示することを特徴とする請求項１〜請求項４の何れか一項に記載の特許文献多次元相関分析装置。
【請求項６】
前記表示手段は、
前記特許文献相関表における前記特許文献が示される所定領域毎に異なる色彩を用いて、前記軸特許文献と前記特許文献との相関関係を識別可能に表示すことを特徴とする請求項１〜請求項５の何れか一項に記載の特許文献多次元相関分析装置。
【請求項７】
前記表示手段は、
前記特許文献相関表に含まれる所定の特許文献毎に異なる色彩を用いて、前記軸特許文献と前記特許文献との相関関係を識別可能に表示することを特徴とする請求項１〜請求項６の何れか一項に記載の特許文献多次元相関分析装置。
【請求項８】
前記表示手段は、
前記特許文献相関表上に示されている前記特許文献の中で、任意の特許文献が指定された場合に、該指定された特許文献の特許文献情報を表示する特許文献情報表示手段を更に備えることを特徴とする請求項１〜７の何れか一項に記載の特許文献多次元相関分析装置。
【発明の詳細な説明】
【技術分野】
【０００１】
この発明は、複数の特許文献間の相関関係を多次元的に分析する特許文献多次元相関分析装置に関するものである。
【背景技術】
【０００２】
従来、所定の特許文献群についての分析は、例えば、キーワードに基づいて検索された特許文献群について、検索結果と共に該特許文献群の中の一の特許文献と他の特許文献との類似度を示すことにより行われていた。即ち、検索された特許文献群中の全ての特許文献をそれぞれベクトル化し、一の特許文献のベクトルと他の特許文献のベクトルとの内積値を算出し、算出された内積値に基づいて類似度、即ち、一の特許文献と他の特許文献との関連度が示されていた。
【０００３】
ここで、例えば、キーワードに代えて検索文に基づいて特許文献の検索を行う場合に、検索文と特許文献との類似度を判定し、検索文と特許文献との類似度が高い順に検索結果を表示する技術情報検索システムが存在する（特許文献１参照）。この技術情報検索システムによれば、入力された検索文を形態素解析して検索文ベクトルを作成し、作成された検索文ベクトルと、予め技術情報データベースに登録されている技術情報、例えば、特許文献の内容を示す単語ベクトルとの内積値を算出している。そして、算出された内積値に基づいて検索文と特許文献との類似度を判定し、検索文との類似度が高い特許文献から順に検索結果として表示している。
【０００４】
なお、例えば、人と情報、人とシステム、人とサービス等の異なる類に分類される対象群の間の接続関係を表示する接続関係表示装置が存在する（特許文献２参照）。この接続関係表示装置は、例えば、企業内において各部署の人が何れのサービスを利用しているのかを、人が属する類とサービスが属する類とを同心円を用いて示し、各々の人と、その人が利用しているサービスとを線で結ぶことにより、人とサービスの接続関係、即ち、各人のサービス利用状況を俯瞰的に示している。
【０００５】
【特許文献１】特開２００２−７３６８０号公報
【特許文献２】特開２００２−２４２８３号公報
【発明の開示】
【発明が解決しようとする課題】
【０００６】
ところで、例えば、検索文と特許文献との間の類似度や一の特許文献と他の特許文献との間の類似度等、類似度を１対１で判定し表示するシステムは存在するが、複数の特許文献間における類似度に基づいて複数の特許文献間における相関関係を示すシステムは存在しない。即ち、例えば、所定の特許文献群に含まれる各特許文献について、特許文献Ａに類似しているか否か、特許文献Ｂに類似しているか否かを示すシステムは存在するが、例えば、特許文献Ａには類似しているが、特許文献Ｂには非類似の特許文献を検索し、表示するシステムは存在しない。また、例えば、人とシステムのように、異なる類に分類されるものの間における接続関係を俯瞰的に表示するシステムは存在するが、複数の特許文献間における相関関係を視覚的に容易に把握することができるように表示するシステムは存在しない。
【０００７】
この発明の課題は、複数の特許文献間における相関関係を視覚的に容易に把握することができるように表示する特許文献多次元相関分析装置を提供することである。
【課題を解決するための手段】
【０００８】
請求項１記載の特許文献多次元相関分析装置は、特許文献毎に該特許文献の意味内容を示す特許文献ベクトルを含む特許文献情報を記憶する特許文献情報記憶手段と、軸文献を設定するための軸文献設定条件を入力する軸文献設定条件入力手段と、前記軸文献設定条件入力手段により入力された軸文献設定条件に基づいて、前記特許文献情報記憶手段に記憶されている特許文献情報の中から複数の軸特許文献を設定する軸特許文献設定手段と、前記軸特許文献設定手段により設定された軸特許文献の各々の特許文献ベクトルと、前記特許文献情報記憶手段に記憶されている前記軸特許文献以外の特許文献の各々の特許文献ベクトルとの内積値を算出する内積値算出手段と、前記軸特許文献を軸とした所定領域内において、前記内積値算出手段により算出された内積値に基づいて前記特許文献を所定位置に示すことにより、前記軸特許文献と前記特許文献との相関関係を示す特許文献相関表を表示する表示手段とを備えることを特徴とする。
【０００９】
この請求項１記載の特許文献多次元相関分析装置によれば、設定された軸特許文献を軸とした所定領域内において、内積値に基づいて特許文献を所定位置に示すことにより、軸特許文献とその他の特許文献（分析対象特許文献）との相関関係を示す特許文献相関表を表示している。即ち、軸特許文献の特許文献ベクトルと分析対象特許文献の特許文献ベクトルとの内積値を算出し、軸特許文献を座標軸とし内積値を座標として分析対象特許文献を所定位置に示した特許文献相関表を表示している。従って、特許文献相関表上の位置に基づいて、例えば、縦軸として用いられている軸特許文献（縦軸特許文献）及び横軸として用いられている軸特許文献（横軸特許文献）と分析対象特許文献との相関関係を容易に把握することができる。
【００１０】
また、請求項２記載の特許文献多次元相関分析装置は、前記特許文献情報記憶手段に記憶されている特許文献情報に基づいて、前記特許文献の中から任意の特許文献を検索する特許文献検索手段を備え、前記軸特許文献設定手段は、前記特許文献検索手段により検索された特許文献の中から軸特許文献を設定し、前記内積値算出手段は、前記軸特許文献設定手段により設定された軸特許文献の各々の特許文献ベクトルと、前記特許文献検索手段により検索された軸特許文献以外の特許文献の特許文献ベクトルとの内積値を算出することを特徴とする。
【００１１】
この請求項２記載の特許文献多次元相関分析装置によれば、検索された特許文献の中から軸特許文献を設定し、設定された軸特許文献の特許文献ベクトルと分析対象特許文献の特許文献ベクトルとの内積値を算出することにより、軸特許文献と分析対象特許文献との相関関係を示す特許文献相関表を表示している。従って、例えば、特定の技術分野における任意の企業の特許出願を検索し、その技術分野における任意の企業の出願傾向を分析する際の有益な資料等として特許文献相関表を用いることができる。
【００１２】
また、請求項３記載の特許文献多次元相関分析装置は、前記軸特許文献設定手段が、軸特許文献を設定する際の軸特許文献設定条件を作成する軸特許文献設定条件作成手段を備え、一の軸特許文献が設定された場合に、前記軸特許文献設定条件作成手段により作成された軸特許文献設定条件に基づいて、他の軸特許文献を設定することを特徴とする。
【００１３】
この請求項３記載の特許文献多次元相関分析装置によれば、例えば、軸特許文献として縦軸特許文献及び横軸特許文献を設定する場合に、横軸特許文献（縦軸特許文献）を設定する軸特許文献設定条件を作成する。そして、縦軸特許文献（横軸特許文献）が設定された場合に、軸特許文献設定条件に基づいて横軸特許文献（縦軸特許文献）が設定されるため、容易に軸特許文献の設定を行うことができる。
【００１４】
また、請求項４記載の特許文献多次元相関分析装置は、前記軸特許文献設定手段が、前記特許文献情報記憶手段に記憶されている特許文献情報に基づいて、複数の特許文献が一の軸に用いられる軸特許文献として設定された場合に、前記設定された複数の特許文献の各々の特許文献ベクトルの平均を示す平均ベクトルを算出する平均ベクトル算出手段を備え、前記内積値算出手段は、前記平均ベクトル算出手段により算出された前記平均ベクトルと、前記特許文献情報記憶手段に記憶されている特許文献の各々の特許文献ベクトルとの内積値を算出することを特徴とする。
【００１５】
この請求項４記載の特許文献多次元相関分析装置によれば、例えば、縦軸特許文献として３つの特許文献が設定された場合には、３つの特許文献の平均ベクトルを算出し、算出された平均ベクトルを縦軸特許文献として設定して、この平均ベクトルと分析対象特許文献の特許文献ベクトルとの内積値を算出する。次に、算出された内積値を縦軸特許文献に対する座標として用いることにより所定位置に分析対象特許文献を示した特許文献相関表を表示している。従って、例えば、所定の技術分野における中核的な技術に関する特許文献が多数存在する場合に、複数の特許文献を軸特許文献として設定することにより、的確に特許文献間の相関関係を示した特許文献相関表を表示することができる。
【００１６】
また、請求項５記載の特許文献多次元相関分析装置は、前記軸特許文献を任意に入れ替える軸特許文献入替手段を備え、前記表示手段は、前記軸特許文献入替手段により入れ替えられた軸特許文献を用いて特許文献相関表を表示することを特徴とする。
【００１７】
この請求項５記載の特許文献多次元相関分析装置によれば、特許文献相関表が、例えば、縦軸特許文献と横軸特許文献とにより構成されている場合に、縦軸特許文献と特許文献相関表上に表示されている分析対象特許文献、又は、横軸特許文献と特許文献相関表上に表示されている分析対象特許文献とを入れ替えて特許文献相関表を表示することができる。また、縦軸特許文献と横軸特許文献とを入れ替えた特許文献相関表を表示することができる。即ち、軸特許文献と表示されている分析対象特許文献を任意に入れ替えることにより、例えば、特定の技術分野における特許文献間の相関関係を多角的に分析する際の有益な資料として特許文献相関表を用いることができる。
【００１８】
また、請求項６記載の特許文献多次元相関分析装置は、前記表示手段が、前記特許文献相関表における前記特許文献が示される所定領域毎に異なる色彩を用いて、前記軸特許文献と前記特許文献との相関関係を識別可能に表示すことを特徴とする。
【００１９】
この請求項６記載の特許文献多次元相関分析装置によれば、所定領域毎に異なる色彩を用いて軸特許文献と分析対象特許文献との相関関係を識別可能に示している。例えば、縦軸特許文献の特許文献ベクトル及び横軸特許文献の特許文献ベクトルの双方との内積値が低い分析対象特許文献を表示する領域（第１の領域）、縦軸特許文献の特許文献ベクトルとの内積値が高く横軸特許文献の特許文献ベクトルとの内積値が低い分析対象特許文献を表示する領域（第２の領域）、縦軸特許文献の特許文献ベクトル及び横軸特許文献の特許文献ベクトルの双方との内積値が高い分析対象特許文献を表示する領域（第３の領域）、及び、縦軸特許文献の特許文献ベクトルとの内積値が低く横軸特許文献の特許文献ベクトルとの内積値が高い分析対象特許文献を表示する領域（第４の領域）に特許文献相関表を分割する。そして、第１の領域、第２の領域、第３の領域および第４の領域のそれぞれの領域内において、異なる色彩を用いて分析対象特許文献を表示することにより、軸特許文献と分析対象特許文献との相関関係を視覚的に、容易に識別できるように表示することができる。
【００２０】
また、請求項７記載の特許文献多次元相関分析装置は、前記表示手段が、前記特許文献相関表に含まれる所定の特許文献毎に異なる色彩を用いて、前記軸特許文献と前記特許文献との相関関係を識別可能に表示することを特徴とする。
【００２１】
この請求項７記載の特許文献多次元相関分析装置によれば、特許文献相関表中の所定の分析対象特許文献毎に異なる色彩を用いて表示している。例えば、自動車に関する特許文献が分析対象特許文献となっている場合に、出願人毎に異なる色彩を用いて分析対象特許文献を表示することができる。従って、特許文献相関表を、例えば、企業毎の出願傾向を分析する際の有益な資料として用いることができる。
【００２２】
また、請求項８記載の特許文献多次元相関分析装置は、前記表示手段が、前記特許文献相関表上に示されている前記特許文献の中で、任意の特許文献が指定された場合に、該指定された特許文献の特許文献情報を表示する特許文献情報表示手段を更に備えることを特徴とする。
【００２３】
この請求項８記載の特許文献多次元相関分析装置によれば、特許文献相関表上に表示されている任意の分析対象特許文献を指定することにより、指定された分析対象特許文献の特許文献情報を表示している。従って、特許文献情報を参照することにより、特許文献相関表上に表示されている分析対象特許文献の内容を容易に確認することができる。
【発明の効果】
【００２４】
この発明によれば、軸特許文献の特許文献ベクトルとその他の特許文献（分析対象特許文献）の特許文献ベクトルとの内積値を算出し、軸特許文献を座標軸とし内積値を座標として分析対象特許文献を所定位置に示した特許文献相関表を表示している。従って、特許文献相関表上の位置に基づいて、例えば、縦軸として用いられている軸特許文献（縦軸特許文献）及び横軸として用いられている軸特許文献（横軸特許文献）と分析対象特許文献との相関関係を容易に把握することができる。そのため、例えば、縦軸特許文献として特許文献Ａ、横軸特許文献として特許文献Ｂを用いた場合に、特許文献Ａに類似し、特許文献Ｂに非類似な特許文献や、特許文献Ａに非類似で特許文献Ｂに類似している特許文献等の検索を容易に行うことができる。
【００２５】
また、特許文献相関表を参照することにより、例えば、企業が自社の出願に係る特許文献の分布状況等を分析し、自社の技術を的確に保護することができる特許出願を行っているか否か等を分析することができる。また、例えば、既に出願している自社の中核的な特許文献を軸特許文献として、自社が技術開発を行っている分野に関する特許文献と軸特許文献との相関関係を示す特許文献相関表を作成する。そして、作成された特許文献相関表を参照することにより、自社の技術開発傾向と他社の技術開発傾向の状況等を的確に分析することができる。
【発明を実施するための最良の形態】
【００２６】
以下、図面を参照してこの発明の実施の形態に係る特許文献多次元相関分析装置について説明する。
【００２７】
図１は、この発明の実施の形態に係る特許文献多次元相関分析装置のブロック構成図である。特許文献多次元相関分析装置２は、図１に示すように、特許文献多次元相関分析装置２におけるデータの処理を制御するデータ制御部１０を備えている。このデータ制御部１０には、分析対象となる特許文献のデータ等を入力する入力部１２及び特許文献に関する特許文献情報を記憶する特許文献情報記憶部１４が接続されている。また、データ制御部１０には、特許文献間の相関関係を示す表（特許文献相関表）等を記憶するデータ記憶部１６及びデータ記憶部１６に記憶された特許文献相関表等を表示する表示部１８が接続されている。なお、入力部１２は、キーボード、フレキシブルディスクドライブ、ＣＤ−ＲＯＭドライブ、通信制御部等により構成されている。
【００２８】
特許文献情報記憶部１４には、特許文献情報、即ち、入力部１２を介して入力された特許文献の特許文献番号（出願番号及び公開番号）、出願日、出願人、発明者、特許請求の範囲、明細書及び要約書等のデータと、入力部１２を介して入力された特許文献のデータに基づいて算出された特許文献の内容を示すベクトル（特許文献ベクトル）を示すデータとを含む情報が記憶されている。ここで、特許文献情報記憶部１４に記憶されている特許文献のデータは、例えば、日本国特許庁により公開されている特許文献に関するデータ及びその他の国における特許庁に該当する機関等によって公開されている特許文献に関するデータである。
【００２９】
なお、特許文献の内容を示す特許文献ベクトルは、数１００次元の意味空間内で定義されるベクトルであり、意味空間内におけるベクトルの向きにより特許文献の内容が示される。また、例えば、特許文献情報記憶部１４に５００万件の特許文献のデータが記憶されている場合には、５００万件の特許文献のそれぞれについて特許文献ベクトルが作成され、作成された特許文献ベクトルが各特許文献に対応させて特許文献情報記憶部１４に記憶される。
【００３０】
また、データ記憶部１６には、特許文献間の相関関係を表した特許文献相関表を示すデータ、例えば、特許文献情報記憶部１４に記憶されている特許文献データに基づいて、任意に選択された２つの特許文献の各々と、他の４，９９９，９９８件の各々特許文献との相関関係を示した特許文献相関表のデータが記憶される。また、データ記憶部１６には、特許文献情報記憶部１４に記憶されている特許文献データの中から、例えば、所定のキーワードに基づいて任意の特許文献が検索された場合には、該検索された特許文献を一覧形式で示す表（検索結果一覧表）のデータ、例えば、検索された特許文献の公開番号等を一覧形式で示した検索結果一覧表のデータが記憶される。
【００３１】
次に、図２のフローチャートを参照して、この発明の実施の形態に係る特許文献多次元相関分析装置による特許文献間の相関関係を示す処理について説明する。なお、以下においては、検索された特許文献間の相関関係を示す場合を例として説明する。
【００３２】
まず、入力部１２を介して入力されたキーワードに基づいて、特許文献情報記憶部１４に記憶されている特許文献の中から所定の特許文献を検索する（ステップＳ１１）。例えば、特許文献情報記憶部１４に記憶されている特許文献の中から、「燃料電池」に関する特許文献を検索すべく、キーワードとして「燃料電池」が入力されたとする。なお、キーワードは一つに限られず、例えば、「燃料電池」、「水素」及び「酸素」等、複数の単語を検索用のキーワードとして入力するようにしてもよい。また、キーワードに代えて、例えば、「外部から供給された種類の異なる反応ガスに基づく反応により発電する電池」等の検索文を入力部１２を介して入力するようにしてもよい。次に、入力されたキーワード「燃料電池」に基づいて、特許文献情報記憶部１４に記憶されている特許文献の中から「燃料電池」という語を含む特許文献を検索する。なお、検索された特許文献を示すデータ、例えば、検索された特許文献の特許文献番号、出願日、発明の名称及び出願人等のデータが、検索結果としてデータ記憶部１６に記憶される。
【００３３】
ここで、キーワードに代えて検索文が入力された場合には、入力された検索文を形態素解析して検索文の内容を示すベクトル（検索ベクトル）が作成され、作成された検索ベクトルと特許文献情報記憶部１４において特許文献毎に記憶されている各特許文献ベクトルとの内積値が算出される。次に、算出された内積値が高い順に所定数の特許文献を検索結果として一覧表形式で表示する。なお、検索結果として表示するか否かの判断基準を示す内積値の閾値が設定されている場合には、設定されている閾値以上の内積値を示す特許文献のみが検索結果として表示される。
【００３４】
次に、ステップＳ１１における特許文献の検索結果を示す検索結果一覧表が表示部１８に表示される（ステップＳ１２）。例えば、データ記憶部１６に記憶されている検索された特許文献の特許文献番号及び発明の名称等を含む検索結果一覧表が表示部１８に表示される。なお、検索ベクトルと特許文献ベクトルとの内積値が算出された場合には、検索結果一覧表において特許文献の特許文献番号と共に内積値も表示される。
【００３５】
図３は、この発明の実施の形態に係る検索結果一覧表の一例を示す図である。検索結果一覧表は、図３に示すように、特許文献相関表において縦軸、横軸として用いる軸特許文献として設定する特許文献を指定するための軸指定欄、検索された特許文献の公開番号、出願番号、出願日、発明の名称及び出願人をそれぞれ表示する欄により構成されている。また、検索結果一覧表と共に縦軸及び横軸のそれぞれに用いる軸特許文献として設定する特許文献の指定を確定するための「ＯＫ」ボタン、縦軸及び横軸のそれぞれに用いる特許文献の指定をキャンセルするための「キャンセル」ボタンが表示されている。軸指定欄においては、「□」で示すチェックボックスが表示されており、表示されている「□」内をマウス等のポインティングデバイスを用いてクリックすることにより、検索結果一覧表に含まれている特許文献の中から軸特許文献を設定することができる。また、表示されている公開番号をマウス等のポインティングデバイスを用いて指定しクリックすることにより、特許公報の全文が表示部１８に表示され、指定された特許文献の内容を閲覧することができる。
【００３６】
なお、図３において、検索結果一覧表と共に検索結果を更に絞り込む「絞り込み」ボタンを表示するようにしてもよい。ここで、検索結果を更に絞り込む「絞り込み」ボタンが表示されている場合には、表示されている「絞り込み」ボタンをマウス等のポインティングデバイスを用いて指定しクリックすることにより表示される絞込検索画面（図示せず）等において、検索結果を更に絞り込むことができる。例えば、キーワード「燃料電池」に基づく検索結果が１万件となっている場合に、「小型」及び「携帯」をキーワードとして追加する。そして、１万件の特許文献の中から「小型」及び「携帯」を含む特許文献を検索して「燃料電池」を含む特許文献を絞り込み、絞り込まれた特許文献を検索結果一覧表として表示部１８に表示するようにしてもよい。
【００３７】
次に、表示部１８に表示されている検索結果の一覧から、特許文献相関表において軸となる特許文献（軸特許文献）を設定する（ステップＳ１３）。即ち、ステップＳ１１において検索された特許文献の中から、例えば、縦軸として用いる軸特許文献（縦軸特許文献）と、横軸として用いる軸特許文献（横軸特許文献）とがそれぞれ指定され、指定された特許文献がそれぞれ縦軸特許文献及び横軸文献として設定される。ここで、図３に示す検索結果一覧表において、縦軸の欄に表示されている「□」内をポインティングデバイスを用いてクリックすることにより指定された特許文献が縦軸特許文献として設定される。また、同様にして、横軸の欄に表示されている「□」内をポインティングデバイスを用いてクリックすることにより指定された特許文献が横軸特許文献として設定される。なお、縦軸特許文献及び横軸特許文献のそれぞれ又は何れか一方に用いる特許文献として、複数の特許文献を指定し複数の特許文献の平均ベクトルを縦軸特許文献（横軸特許文献）として設定するようにしてもよい。
【００３８】
次に、ステップＳ１３において設定された縦軸特許文献及び横軸特許文献の各々の特許文献ベクトルと、検索された特許文献の中で、軸特許文献以外の特許文献（分析対象特許文献）の各々の特許文献ベクトルとの内積値を算出する（ステップＳ１４）。即ち、特許文献情報記憶部１４に記憶されている各特許文献の特許文献ベクトルに基づいて、検索された特許文献の中で、軸特許文献として設定された特許文献の特許文献ベクトルとそれ以外の特許文献の特許文献ベクトルとの内積値を算出する。例えば、検索結果一覧表として表示されている１００件の特許文献の中から、公開番号「特開２０××−１２３４」が縦軸特許文献として、公開番号「特開２０△△−５６７８」が横軸特許文献として設定された場合、縦軸特許文献「特開２０××−１２３４」の特許文献ベクトルと残りの９８件の分析対象特許文献の各々の特許文献ベクトルとの内積値と、横軸特許文献「公開２０△△―５６７８」の特許文献ベクトルと残りの９８件の分析対象特許文献の各々の特許文献ベクトルとの内積値とが算出される。なお、算出された内積値は、分析対象特許文献の各々の特許文献相関表における座標として、各分析対象特許文献に対応させてデータ記憶部１６に記憶される。
【００３９】
ここで、例えば、縦軸特許文献として複数の特許文献が指定された場合には、指定された複数の特許文献の内容をそれぞれ示す特許文献ベクトルの平均（平均ベクトル）が算出され、平均ベクトルが縦軸特許文献として設定される（ステップＳ１３）。次に、縦軸特許文献として設定された平均ベクトルと分析対象特許文献の特許文献ベクトルとの内積値が算出される（ステップＳ１４）。そして、算出された内積値が、各分析対象特許文献の特許文献相関表における縦軸特許文献に対する座標としてデータ記憶部１６に記憶される。また、横軸特許文献として複数の特許文献が指定された場合には、横軸特許文献として設定された平均ベクトルと分析対象特許文献の内積値が、各分析対象特許文献の特許文献相関表における横軸特許文献に対する座標としてデータ記憶部１６に記憶される。なお、軸特許文献は、縦軸特許文献として複数の特許文献を、横軸特許文献として１つの特許文献を指定するパターン、縦軸特許文献として１つの特許文献を、横軸特許文献として複数の特許文献を指定するパターン、縦軸特許文献及び横軸特許文献としてそれぞれ複数の特許文献を指定するパターン、縦軸特許文献及び横軸特許文献としてそれぞれ１つの特許文献を指定するパターンの内、任意のパターンに基づいて軸特許文献を設定することができる。
【００４０】
次に、算出された内積値に基づいて、ステップＳ１３において設定された縦軸特許文献及び横軸特許文献と分析対象特許文献との間の相関関係を示す特許文献相関表を作成する（ステップＳ１５）。即ち、データ記憶部１６に記憶されている各分析対象特許文献の座標（内積値）に基づいて、例えば、縦軸特許文献「特開２０××−１２３４」及び横軸特許文献「特開２０△△−５６７８」と９８件の分析対象特許文献との間の相関関係を示す特許文献相関表が作成される。なお、作成された特許文献相関表を示すデータは、データ記憶部１６に記憶される。
【００４１】
次に、データ記憶部１６に記憶されている特許文献相関表を示すデータに基づいて、表示部１８に特許文献相関表を表示する（ステップＳ１６）。例えば、図４に示す特許文献相関表２０を表示部１８に表示する。ここで、図４においては、縦軸特許文献を「特開２０××−１２３４」、横軸特許文献を「特開２０△△−５６７８」とし、分析対象特許文献の特許文献相関表２０上における位置を「○」で表している。また、図４においては、特許文献相関表２０を、第１領域２０ａ、第２領域２０ｂ、第３領域２０ｃ及び第４領域２０ｄの４つの領域に分割し、各領域内の所定位置に分析対象特許文献の位置を示す「○」を表示している。なお、「○」の中心点をデータ記憶部１６に記憶されている各分析対象特許文献の座標として、各分析対象特許文献が特許文献相関表２０上に示される。
【００４２】
ここで、図４の特許文献相関表２０において、第１領域２０ａに表示されている分析対象特許文献は、縦軸特許文献「特開２０××−１２３４」及び横軸特許文献「特開２０△△−５６７８」の双方と関連度（内積値）が低い特許文献であり、第２領域２０ｂに表示されている分析対象特許文献は、縦軸特許文献「特開２０××−１２３４」との関連度が高く、横軸特許文献「特開２０△△−５６７８」との関連度が低い特許文献である。また、第３領域２０ｃに表示されている分析対象特許文献は、縦軸特許文献「特開２０××−１２３４」及び横軸特許文献「特開２０△△−５６７８」の双方と関連度が高い特許文献であり、第４領域２０ｄに表示されている分析対象特許文献は、縦軸特許文献「特開２０××−１２３４」との関連度が低いが、横軸特許文献「特開２０△△−５６７８」との関連度が高い特許文献である。従って、図４に表示されている特許文献相関表２０を参照することにより、分析対象特許文献が縦軸特許文献と横軸特許文献のそれぞれに対してどの程度の関連度を有しているかを容易に把握すると共に、縦軸特許文献及び横軸特許文献と分析対象特許文献との相関関係を容易に把握することができる。
【００４３】
なお、図４に示す特許文献相関表２０において、例えば、表示されている「○」をマウス等のポインティングデバイスを用いてクリックしたり、表示されている「○」にポインタを当てることにより、該当する分析対象特許文献の特許文献情報を表示部１８に表示することができる。例えば、任意の「○」がクリックされた（任意の「○」にポインタが当てられた）場合に、「○」により特許文献相関表２０上に表示されている分析対象特許文献の公開番号、出願番号、出願日、発明の名称及び出願人の情報を表示することができる。また、表示されている分析対象特許文献の公開番号をマウス等のポインティングデバイスを用いて指定しクリックすることにより、指定された分析対象特許文献の特許公報を表示部１８に表示することができる。
【００４４】
この発明の実施の形態に係る特許文献多次元相関分析装置によれば、所定のキーワードに基づいて検索された特許文献の中から、縦軸特許文献及び横軸特許文献を設定し、縦軸特許文献及び横軸特許文献と分析対象特許文献との相関関係を特許文献相関表により示している。従って、例えば、分析対象特許文献が縦軸特許文献と横軸特許文献の何れとより強い関連を有しているか否か等を容易に把握することができ、縦軸特許文献及び横軸特許文献と分析対象特許文献との相関関係を的確に分析することができる。
【００４５】
また、縦軸特許文献及び横軸特許文献と分析対象特許文献との相関関係を特許文献相関表により表示することができるため、例えば、特許文献相関表に基づいて企業における出願傾向の分析を行うことができる。即ち、任意の技術分野において特定の企業が出願人となっている特許文献を検索し、例えば、検索結果の中から該技術分野における特徴的な特許文献を軸特許文献として設定し、その他の特許文献を分析対象特許文献として特許文献相関表を作成する。そして、作成された特許文献相関表を参照し、例えば、縦軸特許文献と関連度が高い分析対象特許文献が多い場合には、該企業の出願傾向が何れの技術を中心としているか等を分析することができ、企業における特許出願の出願傾向を分析する際の有益な資料とすることができる。
【００４６】
また、例えば、他社の保有特許及び自社の保有特許を分析し、特許権に関するライセンス交渉を行う際の資料として特許文献相関表を用いることができる。即ち、任意の技術分野における自社の特許保有状況を示す特許文献相関表と、同技術分野における他社の特許保有状況を示す特許文献相関表をそれぞれ作成する。そして、作成された特許文献相関表により自社と他社との特許保有状況を比較することにより、互いに必要としている相手の技術を分析し、例えば、クロスライセンス交渉のための有益な資料として特許文献相関表を用いることができる。また、自社の出願傾向や他社の出願傾向を分析することにより、新たな技術開発を行う分野の開拓等の有益な資料として特許文献相関表を用いることができる。
【００４７】
また、この発明の実施の形態に係る特許文献多次元相関分析装置によれば、特許文献相関表を４つの領域に分割して分析対象特許文献を示す「○」を表示している。従って、何れの領域に表示されているかにより、縦軸特許文献及び横軸特許文献のそれぞれに対する分析対象特許文献の関連度を視覚的に容易に、かつ、迅速に把握することができる。
【００４８】
また、この発明の実施の形態に係る特許文献多次元相関分析装置によれば、複数の特許文献を指定し、指定された複数の特許文献の各特許文献ベクトルを平均した平均ベクトルを軸文献として設定し、平均ベクトルと分析対象特許文献との内積値を算出している。従って、例えば、任意の技術分野における中核的な技術に関して複数の特許文献が存在し、適切な軸特許文献を設定することが困難な場合であっても、的確な軸特許文献を容易に設定することができる。
【００４９】
また、この発明の実施の形態に係る特許文献多次元相関分析装置によれば、特許文献相関表上において分析対象特許文献を示す「○」をマウス等のポインティングデバイスを用いて指定することにより、公開番号、出願番号、出願日、発明の名称及び出願人等の特許文献情報を表示することができる。即ち、「○」をポインティングデバイスを用いてクリックしたり、又は、ポインタを当てることにより指定して、特許文献情報を表示することができる。従って、特許文献相関表に示されている各分析対象特許文献に関する情報を容易に確認することができる。
【００５０】
なお、上述の実施の形態に係る特許文献多次元相関分析装置においては、縦軸特許文献及び横軸特許文献をそれぞれ設定しているが、縦軸特許文献（横軸特許文献）が設定された場合に、横軸特許文献（縦軸特許文献）を自動的に設定する軸特許文献設定条件を作成するようにしてもよい。例えば、横軸特許文献を設定する軸特許文献設定条件として、検索結果一覧表において縦軸特許文献として設定された特許文献の次に表示されている特許文献を横軸特許文献として設定する等の条件を作成することにより、軸特許文献を容易に設定することができるようにしてもよい。
【００５１】
また、上述の実施の形態に係る特許文献多次元相関分析装置においては、特許文献相関表において、領域を分割することにより軸特許文献と分析対象特許文献との相関関係を識別可能に表示しているが、色彩を用いて相関関係を識別可能に表示するようにしてもよい。即ち、縦軸特許文献及び横軸特許文献の双方と関連度が高い分析対象特許文献、縦軸特許文献及び横軸特許文献の双方と関連度が低い分析対象特許文献、縦軸特許文献との関連度は高いが、横軸特許文献との関連度が低い分析対象特許文献、及び、縦軸特許文献との関連度は低いが、横軸特許文献との関連度は高い分析対象特許文献のそれぞれを表示する際に異なる色彩を用い、軸特許文献と分析対象特許文献との相関関係を識別可能に表示するようにしてもよい。
【００５２】
また、例えば、特定の分析対象特許文献のみを異なる色彩を用いて表示するようにしてもよい。例えば、特定の技術分野に関する特許文献を検索し、検索された特許文献の中で特定の出願人の分析対象特許文献のみを異なる色彩を用いて表示するように表示条件を設定して特許文献相関表を作成する。即ち、出願人毎に異なる色彩を用いて、例えば、検索された特許文献の中で、出願人がＡ社の特許文献は青、出願人がＢ社の特許文献は赤、出願人がＣ社の特許文献は緑を用いて表示するように表示条件を設定して特許文献相関表を作成するようにしてもよい。このようにして作成された特許文献相関表は、特定の技術分野における特定の出願人の技術開発傾向等を分析するために有効に用いることができる。また、特定のＩＰＣ（国際特許分類）が付された特許文献、出願日が所定の期間内の分析対象特許文献、又は、国内（国外）の出願に係る分析対象特許文献のみを異なる色彩を用いて表示するように、表示条件を設定して特許文献相関表を作成するようにしてもよい。
【００５３】
また、上述の実施の形態に係る特許文献多次元相関分析装置においては、所定のキーワードに基づいて検索された特許文献を示す検索結果一覧表に表示されているチェックボックスを用いて軸特許文献として設定する特許文献を指定しているが、チェックボックスを用いることなく軸特許文献として設定する特許文献を指定するようにしてもよい。例えば、図５に示すように、検索結果一覧表において、縦軸特許文献とする特許文献の公開番号等を入力する縦軸特許文献番号入力欄と、横軸特許文献とする特許文献の公開番号等を入力する横軸特許文献番号入力欄とを表示する。ここで、図５に示すように、縦軸特許文献番号入力欄及び横軸特許文献番号入力欄において、例えば、プルダウン形式で検索された特許文献を表示して、表示された特許文献の中から軸特許文献として設定する特許文献を指定し、指定された特許文献を軸特許文献として設定するようにしてもよい。また、縦軸特許文献番号入力欄及び横軸特許文献番号入力欄に直接、任意の特許文献の特許文献番号を入力し、入力された特許文献番号に対応する特許文献を軸特許文献として設定するようにしてもよい。また、図６に示すように、特許文献相関表と共に縦軸特許文献番号入力欄及び横軸特許文献番号入力欄を表示し、任意の特許文献の番号を縦軸特許文献番号（横軸特許文献番号）として入力するようにしてもよい。更に、予め絞り込まれた軸特許文献候補を縦軸特許文献番号入力欄（横軸特許文献番号入力欄）にプルダウン形式で表示して、表示された特許文献の中から選択された特許文献を軸特許文献として設定するようにしてもよい。なお、軸特許文献候補とは、軸特許文献として設定可能な特許文献であり、キーワードや検索文に基づく検索等により予め絞り込まれた文献群を意味する。このように、プルダウン形式で表示された軸特許文献候補の中から一つの特許文献を軸特許文献として選択することができるため、軸特許文献番号を入力する手間を省くことができる。また、図６に示すように、縦軸特許文献入力欄には、縦軸特許文献として用いられている特許文献の番号が、横軸特許文献入力欄には、横軸特許文献として用いられている特許文献の番号がそれぞれ表示されている。
【００５４】
また、上述の実施の形態に係る特許文献多次元相関分析装置においては、設定された軸特許文献と分析対象特許文献との相関関係を特許文献相関表として示しているが、設定された軸特許文献を任意の分析対象特許文献と入れ替えるようにしてもよい。例えば、特許文献相関表に表示されている分析対象特許文献の中から、任意の分析対象特許文献を指定し、指定された分析対象特許文献と縦軸特許文献（横軸特許文献）とを入れ替えた特許文献相関表を表示するようにしてもよい。また、軸特許文献を入れ替える際に、例えば、特許文献相関表と共に、「軸入替」ボタン等を表示するようにしてもよい。即ち、入れ替える分析対象特許文献と軸特許文献とを指定した後に、表示されている「軸入替」ボタンをマウス等のポインティングデバイスを用いて指定しクリックすることにより、指定された分析対象特許文献と軸特許文献とを入れ替えるようにしてもよい。また、縦軸特許文献と横軸特許文献とを入れ替えるようにしてもよい。
【００５５】
また、上述の実施の形態に係る特許文献多次元相関分析装置によれば、縦軸特許文献及び横軸特許文献を設定して２次元の特許文献相関表を作成しているが、３次元の特許文献相関表を作成するようにしてもよい。例えば、Ｘ軸特許文献、Ｙ軸特許文献及びＺ軸特許文献を設定し、設定された３つの軸特許文献を用いた３次元特許文献相関表を作成し表示するようにしてもよい。
【００５６】
また、上述の実施の形態に係る特許文献多次元相関分析装置によれば、検索された特許文献の中から軸特許文献を設定し、設定された軸特許文献以外の特許文献を分析対象特許文献として特許文献相関表を作成しているが、検索結果以外の特許文献を軸特許文献としてもよい。例えば、軸特許文献を任意に設定し、所定のキーワードに基づいて検索された特許文献を分析対象特許文献として、設定された軸特許文献と分析対象特許文献との相関関係を示す特許文献相関表を作成してもよい。また、所定のキーワードに基づいて検索された特許文献の中から軸特許文献を設定し、新たなキーワードに基づいて検索された特許文献を分析対象特許文献として特許文献相関表を作成してもよい。
【００５７】
また、上述の実施の形態に係る特許文献多次元相関分析装置においては、特許文献の相関関係を示す特許文献相関表を作成しているが、その他の文献、例えば、学術論文や業界誌等を用いて、上述の処理を行うようにしてもよい。即ち、学術論文を分析対象文献として軸特許文献との相関関係を示した表や、学術論文を軸文献として特許文献との相関関係を示した表、又は、学術論文間の相関関係を示した表等を作成するようにしてもよい。
【図面の簡単な説明】
【００５８】
【図１】この発明の実施の形態に係る特許文献多次元相関分析装置のブロック構成図である。
【図２】この発明の実施の形態に係る特許文献多次元相関分析装置における処理を説明するためのフローチャートである。
【図３】この発明の実施の形態に係る検索結果一覧表の一例を示す図である。
【図４】この発明の実施の形態に係る特許文献相関表の一例を示す図である。
【図５】この発明の実施の形態に係る検索結果一覧表の他の例を示す図である。
【図６】この発明の実地の形態に係る特許文献相関表の他の例を示す図である。
【符号の説明】
【００５９】
２・・・特許文献多次元相関分析装置、１０・・・データ制御部、１２・・・入力部、１４・・・特許文献情報記憶部、１８・・・表示部、２０・・・特許文献相関表。
【図１】
2005234777.tif 000003
【図２】
2005234777.tif 000004
【図３】
2005234777.tif 000005
【図４】
2005234777.tif 000006
【図５】
2005234777.tif 000007
【図６】
2005234777.tif 000008